(57)【要約】      （修正有）【課題】マグネットとマグネット吸着部材との間に作用する磁気吸引力を容易に調整する開閉カバー付き装置を提供する。【解決手段】一方の部材（開閉カバー）３０５に取付けられてマグネット３１７を保持するマグネットホルダー３１０を備える。一方の部材３０５にはマグネットホルダー３１０を取付けるためのホルダー取付け面が形成されており、マグネットホルダー３１０は、マグネット３１７とマグネット吸着部材３２０の吸着部３２０ｂとが重なる領域Ｒを調整できるように、ホルダー取付け面に対してスライド可能に固定されている。【選択図】図７
2016136679.tif 000002
【特許請求の範囲】
【請求項１】
一側面にメンテナンス用の開放部が形成された装置本体部と、該装置本体部に支持され、所定の軸線回りに回動することで上記開放部を開閉可能に覆う開閉カバーと、上記装置本体部及び開閉カバーのうち一方の部材に固定されたマグネットと、該一方の部材とは異なる他方の部材に固定され、上記マグネットからの磁気吸引力を受けて上記開閉カバーを閉状態に保持する吸着部を有するマグネット吸着部材とを備えた開閉カバー付き装置であって、
上記一方の部材に取付けられて上記マグネットを保持するマグネットホルダーを備え、
上記一方の部材には上記マグネットホルダーを取付けるためのホルダー取付け面が形成されており、
上記マグネットホルダーは、上記開閉カバーを閉じた状態で上記ホルダー取付け面に垂直な方向から見たときに上記マグネットとマグネット吸着部材の吸着部とが重なる領域を調整できるように、上記ホルダー取付け面に対してスライド可能に固定されている、開閉カバー付き装置。
【請求項２】
請求項１記載の開閉カバー付き装置において、
上記マグネットホルダーは、上記ホルダー取付け面に対して垂直な方向から見て所定方向に延びる長孔状のガイド孔を有し、
上記ホルダー取付け面には、上記ガイド孔に内挿されて上記マグネットホルダーを上記所定方向にスライド可能にガイドするガイド部が突設されている、開閉カバー付き装置。
【請求項３】
請求項１又は２記載の開閉カバー付き装置において、
上記装置本体部は、画像形成装置本体の上面部に装着されるものであり、
上記開閉カバーは、水平方向に延びる軸線回りに回動可能に構成され、
上記装置本体部の内部には、上記画像形成装置本体から排出される用紙を水平方向の一側から他側へと搬送する搬送路が収容され、
上記開閉カバーの下面には、上記搬送路を形成する搬送ローラー対の従動側ローラーが取付けられている、開閉カバー付き装置。
【発明の詳細な説明】
【技術分野】
【０００１】
本発明は、開閉カバー付き装置に関する。
【背景技術】
【０００２】
従来より、装置本体部の一側面に形成されたメンテナンス用の開放部を開閉可能に覆う開閉カバーを備えた装置は知られている（例えば、特許文献１参照）。この開閉カバー付き装置では、装置本体部に磁性体を固定し、開閉カバーにマグネットを固定するようにしている。これにより、開閉カバーを閉じた状態では、マグネットの磁気吸引力が磁性体に作用して、開閉カバーが閉状態に保持されるようになっている。上記マグネットは、開閉カバーの上下方向の両端部にそれぞれ一つずつ設けられている。
【先行技術文献】
【特許文献】
【０００３】
【特許文献１】特開２０１０−２４５６５２号公報
【発明の概要】
【発明が解決しようとする課題】
【０００４】
しかしながら、上記特許文献１に示す開閉カバー付き装置では、上下のマグネットの磁気吸引力に差があると、一方のマグネットのみが磁性体（マグネット吸着部材）に吸着されて他方が吸着されない（つまり開閉カバーが片閉まりする）という問題が生じる。また、マグネットの磁気吸引力が過度に大きいと、開閉カバーを閉状態から開ける際に開閉カバーが一気に開いてしまう。この結果、開閉カバーが周辺部材にぶつかって破損するという問題がある。
【０００５】
本発明は、かかる点に鑑みてなされたものであり、その目的とするところは、マグネットとマグネット吸着部材との間に作用する磁気吸引力を容易に調整し得る開閉カバー付き装置を提供しようとすることにある。
【課題を解決するための手段】
【０００６】
本発明に係る開閉カバー付き装置は、一側面にメンテナンス用の開放部が形成された装置本体部と、該装置本体部に支持され、所定の軸線回りに回動することで上記開放部を開閉可能に覆う開閉カバーと、上記装置本体部及び開閉カバーのうち一方の部材に固定されたマグネットと、該一方の部材とは異なる他方の部材に固定され、上記マグネットからの磁気吸引力を受けて上記開閉カバーを閉状態に保持する吸着部を有するマグネット吸着部材とを備えている。
【０００７】
そして、上記一方の部材に取付けられて上記マグネットを保持するマグネットホルダーを備え、上記一方の部材には上記マグネットホルダーを取付けるためのホルダー取付け面が形成されており、上記マグネットホルダーは、上記開閉カバーを閉じた状態で上記ホルダー取付け面に垂直な方向から見たときに上記マグネットとマグネット吸着部材の吸着部とが重なる領域を調整できるように、上記ホルダー取付け面に対してスライド可能に固定されている。
【０００８】
この構成によれば、マグネットホルダーをホルダー取付け面に対してスライドさせることで、マグネットとマグネット吸着部材の吸着部とが重なる範囲を調整し、延いては、マグネットとマグネット吸着部材との間に作用する磁気吸引力を調整することができる。
【０００９】
上記マグネットホルダーは、上記ホルダー取付け面に対して垂直な方向から見て所定方向に延びる長孔状のガイド孔を有し、上記ホルダー取付け面には、上記ガイド孔に内挿されて上記マグネットホルダーを上記所定方向にスライド可能にガイドするガイド部が突設されていることが好ましい。
【００１０】
この構成によれば、マグネットホルダーの位置調整を行う際に、マグネットホルダーをそのガイド孔に内挿されたガイド部によって所定方向にガイドしながら移動させることができる。よって、マグネットホルダーの位置調整を容易に行うことができる。延いては、マグネットとマグネット吸着部材との間に作用する磁気吸引力の調整を容易に行うことができる。
【００１１】
上記装置本体部は、画像形成装置本体の上面部に装着されるものであり、上記開閉カバーは、水平方向に延びる軸線回りに回動可能に構成され、上記装置本体部の内部には、上記画像形成装置本体から排出される用紙を水平方向の一側から他側へと搬送する搬送路が収容され、上記開閉カバーの下面には、上記搬送路を形成する搬送ローラー対の従動側ローラーが取付けられていることが好ましい。
【００１２】
この構成によれば、開閉カバーの下面に搬送ローラー対の従動側ローラーが取付けられている。開閉カバーの磁気吸引力の合計は搬送ローラー対の押圧力よりも大きくする必要がある。磁気吸引力を搬送ローラー対の押圧力よりも過度に大きくすると、開閉カバーを一気に開いてしまい周辺部材にぶつけてしまう虞がある。これに対して本発明では、マグネットホルダーをスライド移動させることでマグネットとマグネット吸着部材との間に作用する磁気吸引力を調整して、開閉カバーを開く際に必要な力を必要最小限に容易に調整することができる。よって、上述の問題を回避することができる。
【発明の効果】
【００１３】
本発明によれば、マグネットとマグネット吸着部材との間に作用する磁気吸引力を容易に調整し得る開閉カバー付き装置が提供される。
【図面の簡単な説明】
【００１４】
【図１】図１は、実施形態における開閉カバー付き装置としての中継搬送装置を備えた画像形成装置の内部構造を示す概略図である。
【図２】図２は、中継搬送装置を上側から見た図である。
【図３】図３は、中継搬送装置を斜め下側から見た斜視図である。
【図４】図４は、中継搬送装置を斜め上側から見た斜視図である。
【図５】図５は、開閉カバーにおける装置本体部との対向面の左側端部に固定されたマグネットホルダー及びその周辺部分を示す斜視図である。
【図６】図６は、装置本体部における開閉カバーとの対向面の左側端部に固定されたマグネット吸着部材を示す斜視図である。
【図７】図７は、図２のVII−VII線断面図であって、マグネットホルダーの位置調整方法を説明するための説明図である。
【図８】図８は、図２のVII−VII線断面図であって、マグネットホルダーの位置調整方法を説明するための説明図である。
【発明を実施するための形態】
【００１５】
以下、本発明の実施形態を図面に基づいて詳細に説明する。尚、本発明は、以下の実施形態に限定されるものではない。
【００１６】
上記画像形成装置１は、いわゆる胴内排紙型の複写機であって、本体筐体部１００とスキャナ筐体部２００と連結筐体部２５０とを有している。スキャナ筐体部２００は、本体筐体部１００よりも上側に配置されている。本体筐体部１００とスキャナ筐体部２００とは連結筐体部２５０を介して連結されている。本体筐体部１００とスキャナ筐体部２００との間には胴内排紙空間Ｓが形成されている。連結筐体部２５０における胴内排紙空間Ｓに臨む立壁部２５５には、第１排紙口２５１と第２排紙口２５２とが上下に並んで形成されている。胴内排紙空間Ｓには中継搬送装置３００が着脱可能になっている。中継搬送装置３００は、第１排紙口２５１から排出される画像形成後の用紙Ｐを、後処理装置４００へと搬送する。後処理装置４００、画像形成後の用紙Ｐに対してソート処理や穿孔処理等の後処理を実行する。
【００１７】
上記スキャナ筐体部２００の上面２００ａは、原稿カバー２０２によって開閉可能に覆われている。スキャナ筐体部２００内に収容された上記画像読取部２０１は、スキャナ筐体部２００の上面２００ａに載置された原稿を光学的に読み取ってその画像データを生成する。画像読取部２０１により生成された画像データは、不図示のデータ記憶部に記憶される。
【００１８】
上記本体筐体部１００は略直方体状に形成されており、上記画像形成部２０は、本体筐体部１００内の上部における右側寄りに配置されている。画像形成部２０の上側には定着部４０が設けられ、画像形成部２０の左側且つ下側には、給紙部１０が設けられている。給紙部１０は、用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。
【００１９】
画像形成部２０は、感光ドラム２１、帯電器２３、露光装置２５、現像装置２７、及び転写器２９を有している。画像形成部２０では、先ず、帯電器２３によって感光ドラム２１の周面を帯電させ、次いで、露光装置２５によって感光ドラム２１の表面に原稿画像データ（画像読取部２０１により生成された原稿画像の画像データ）に基づくレーザー光を照射することで静電潜像を形成し、形成した静電潜像を現像装置２７によって現像することでトナー像を形成し、その後、転写器２９によって給紙部１０から供給される用紙Ｐに対して上記トナー像を転写すると共に該転写後の用紙Ｐを定着部４０に供給する。尚、図中の符号２４は、感光ドラム２１の表面に残った残トナーを除去するクリーニング部である。
【００２０】
上記定着部４０では、画像形成部２０より供給される用紙Ｐを定着ローラー４０ａ及び加圧ローラー４０ｂ間で加圧及び加熱することにより、当該用紙Ｐにトナー像を定着させる。そして、定着部４０にてトナー像が定着された用紙Ｐは、両ローラー４０ａ，４０ｂにより上方に搬送される。用紙Ｐが搬送される搬送路は、定着部４０の上側において第１搬送路Ｔ１と第２搬送路Ｔ２とに分岐しており、定着ローラー４０ａ，４０ｂより送り出された用紙はこの第１搬送路Ｔ１又は第２搬送路Ｔ２に供給される。
【００２１】
第１搬送路Ｔ１は、定着部４０から上側に向かって左側に湾曲して上記第１排紙口２５１に接続されている。第１搬送路Ｔ１の下流側端部には排出ローラー対１２が配置されている。第２搬送路Ｔ２は、定着部４０から上側に向かって延びた後に左側に屈曲して上記第２排紙口２５２に接続されている。第２搬送路Ｔ２の下流側端部には排出ローラー対１３が配置されている。上記第２搬送路Ｔ２にはさらに、用紙Ｐに両面印刷を行う際に該用紙Ｐをスイッチバックさせて画像形成部２０に再供給するための両面印刷用搬送路Ｔ３が接続されている。
【００２２】
胴内排紙空間Ｓに中継搬送装置３００が装着されていない状態では、第１排紙口２５１から排出された用紙Ｐは用紙トレイ１０１に受け取られる。尚、第２排紙口２５２は、用紙Ｐのスイッチバック搬送時等に使用される。一方、中継搬送装置３００が胴内排紙空間Ｓに装着されている状態（図１に示す状態）では、第１排紙口２５１から排出された画像形成後の用紙Ｐは、中継搬送装置３００内の中継搬送路Ｔ４に供給される。
【００２３】
中継搬送装置３００は、胴内排紙空間Ｓの底壁部である用紙トレイ１０１上に装着される。中継搬送装置３００は、全体視が略直方体状の装置本体部３０３を有している。装置本体部３０３の右側壁には、第１排紙口２５１に連通する給紙口３０１が形成され、左側壁にはマルチトレイ装置４００の給紙口に連通する排紙口３０２が形成されている。中継搬送装置３００内には上記中継搬送路Ｔ４が設けられている。中継搬送路Ｔ４は、４つの搬送ローラー対３０４により形成されていて、給紙口３０１から排紙口３０２に向かって略水平に延びている。各搬送ローラー対３０４は、中継搬送路Ｔ４を挟んで下側に位置する駆動側ローラー３０４ａと上側に位置する従動側ローラー３０４ｂとからなる。従動側ローラー３０４ｂは駆動側ローラー３０４ａに対して所定荷重で圧接されている。駆動側ローラー３０４ａ及び従動側ローラー３０４ｂはそれぞれ外周部がゴム部材で覆われている。従動側ローラー３０４ｂは、後述する開閉カバー３０５の下面に取付けられている。
【００２４】
図２〜図４に示すように、装置本体部３０３の上面にはメンテナンス用の開放部が形成されており、この開放部が開閉カバー３０５によって開閉可能に覆われている。開閉カバー３０５は、閉状態において下側に開放する偏平状の矩形箱体からなる。開閉カバー３０５は樹脂材料によって構成されている。開閉カバー３０５の上面には、上記第２排紙口２５２から排出される用紙Ｐを受け止める排紙トレイ部３０７が形成されている。排紙トレイ部３０７の右側端部は右側ほど下側に傾斜しており、これにより排紙トレイ部３０７に排出された用紙が該傾斜に沿って下側に移動して整列されるようになっている。
【００２５】
開閉カバー３０５の後端部における左右方向の両端部は、左右方向（水平方向）に延びる支持軸（図示省略）を介して装置本体部３０３の左右の側壁に支持されている。そして、開閉カバー３０５は、閉状態（図２の状態）からその前端部を手で上側に持ち上げることで、支持軸（水平方向に延びる軸線Ｘ）回りに上側に回動して開状態（図３及び図４の状態）になる。開閉カバー３０５を開状態にすることで、ユーザーは装置本体部３０３内に手を入れてジャム紙の処理等を行うことができる。ユーザーが開閉カバー３０５から手を離すと、開閉カバー３０５は自重により、上記支持軸回り（軸線Ｘ回り）に下側に回動して閉状態（図２の状態）に戻る。開閉カバー３０５における装置本体部３０３との対向面には、開閉カバー３０５を閉状態に保持するための一対のマグネット３１７が取り付けられている（図３参照）。装置本体部３０３には、各マグネット３１７との間で磁気吸引力を発生させる一対のマグネット吸着部材３２０（図４参照）が取付けられている。
【００２６】
図３に示すように、一対のマグネット３１７は、開閉カバー３０５の前端部の左右方向の両端部に取付けられている。開閉カバー３０５に対する左右のマグネット３１７の取付け構造は同じであるため、以下では、図５を参照しながら左側のマグネット３１７の取付け構造についてのみ説明を行う。
【００２７】
マグネット３１７は、左右方向に長い矩形板状に形成されていて、マグネットホルダー３１０を介して開閉カバー３０５に取付けられている。マグネット３１７は、矩形状の取付けプレート３１６の長手方向の中央部に積層されている。取付けプレート３１６における長手方向に延びる２つの縁部からは板状のヨーク３１８が取付けプレート３１６に対して垂直に突出している。マグネット３１７は、この２つのヨーク３１８の間に配置されている。このヨーク３１８の突出量はマグネット３１７の厚みよりも大きい。開閉カバー３０５が閉状態にあるときには、各ヨーク３１８の突出側の端面が後述するマグネット吸着部材３２０の吸着部３２０ｂに吸着される。マグネット３１７は、取付けプレート３１６を介してマグネットホルダー３１０に保持されている。
【００２８】
マグネットホルダー３１０は、開閉カバー３０５に形成されたホルダー取付け面３０５ａ（図５参照）に対して左右方向にスライド可能に固定されている。ホルダー取付け面３０５ａは、矩形状の平坦面からなる。ホルダー取付け面３０５ａは、開閉カバー３０５における装置本体部３０３との対向面に形成されている。
【００２９】
マグネットホルダー３１０は樹脂材料によって構成されている。マグネットホルダー３１０は、ホルダー本体３１１と板状片３１２とを備えている。ホルダー本体３１１は、左右方向に長い略直方体状に形成されている。ホルダー本体３１１には、その厚さ方向に貫通する取付け孔３１１ｂと一対のガイド穴３１１ａとが形成されている。マグネットホルダー３１０は、取付け孔３１１ｂに挿入された取付けネジ３１３によってホルダー取付け面３０５ａに固定されている。
【００３０】
上記一対のガイド穴３１１ａは、左右方向に間隔を空けて配置されている。各ガイド穴３１１ａは、左右方向に長い長孔状に形成されている。取付け孔３１１ｂは、ガイド穴３１１ａと同様に左右方向に長い長孔状に形成されている。一対のガイド穴３１１ａにはそれぞれ、上記ホルダー取付け面３０５ａから突出する一対の円筒ガイド部３０５ｂが内挿されている。ガイド穴３１１ａの幅と円筒ガイド部３０５ｂの直径とは略等しい。一対の円筒ガイド部３０５ｂは開閉カバー３０５と一体成型されている。
【００３１】
上記一対の板状片３１２は、取付けプレート３１６をホルダー本体３１１に保持する機能を有している。各板状片３１２は、ホルダー本体３１１に対して片持ち梁状に固定されている。各板状片３１２は、ホルダー取付け面３０５ａに対して平行に配置されている。各板状片３１２は、その基端部を支点としてホルダー取付け面３０５ａに対して垂直な方向に撓み変形可能になっている。取付けプレート３１６は、一対の板状片３１２の先端部とホルダー本体３１１との隙間から図の矢印Ａ１の向きに挿入される。取付けプレート３１６の挿入が完了した状態（図５の状態）では、各板状片３１２の先端部に形成された不図示の爪部が取付けプレート３１６の端縁部に引っ掛かる。そうして、マグネット３１７が取付けプレート３１６を介してマグネットホルダー３１０に保持される。
【００３２】
図４に戻って、上記一対のマグネット吸着部材３２０は、装置本体部３０３の前端部の左右方向の両端部にそれぞれ取付けられている。左右のマグネット吸着部材３２０の取付け構造は同じであるため、以下では図６を参照しながら左側のマグネット吸着部材３２０の取付け構造についてのみ説明を行う。
【００３３】
マグネット吸着部材３２０は、マグネット３１７により吸着可能な物質であって、例えば鉄等の磁性体により構成されている。マグネット吸着部材３２０は、ホルダー３３０によって装置本体部３０３の上面（開閉カバー３０５との対向面）に固定されている。
【００３４】
図６に示すように、マグネット吸着部材３２０は、取付けプレート部３２０ａと吸着部３２０ｂとを有している。マグネット吸着部材３２０は、前後方向に長い矩形板状に形成されている。吸着部３２０ｂは、取付けプレート部３２０ａの長手方向の中央部に形成されている。吸着部３２０ｂは、取付けプレート部３２０ａよりも上側に盛り上がって平面視で前後方向に長い矩形状に形成されている。吸着部３２０ｂには、マグネット３１７からの磁気吸引力が作用する。吸着部３２０ｂは、この磁気吸引力によって開閉カバー３０５をマグネット３１７と共に下方に引き寄せて閉状態に保持する。
【００３５】
上記ホルダー３３０は樹脂材料によって構成されている。ホルダー３３０は、ホルダー本体３３１と一対の板状片３３２とを有している。各板状片３３２は、ホルダー本体３３１に対して片持ち梁状に固定されている。各板状片３３２は、装置本体部３０３の上面に対して平行に配置されている。各板状片３３２は、その基端部を支点として上下方向に撓み変形可能になっている。マグネット吸着部材３２０の取付けプレート部３２０ａは、一対の板状片３３２の先端部とホルダー本体３３１との隙間から図の矢印Ａ２の向きに挿入される。取付けプレート部３２０ａの挿入が完了した状態（図６の状態）では、各板状片３３２の先端部に形成された不図示の爪部が取付けプレート部３２０ａの端縁部（図６では右側の端縁部）に引っ掛かる。そうして、マグネット吸着部材３２０は取付けプレート部３２０ａを介してホルダー３３０に保持される。
【００３６】
ここで、開閉カバー３０５を閉状態に保持する保持力は、各マグネット３１７と各マグネット吸着部材３２０の吸着部３２０ｂとの間に作用する磁気吸引力によって決まる。この磁気吸引力は、開閉カバー３０５を閉じた状態でホルダー取付け面３０５ａに垂直な方向から見たときに各マグネット３１７とマグネット吸着部材３２０の吸着部３２０ｂとが重なる領域Ｒ（図７及び図８参照）の面積によって決まる。この領域Ｒの面積が大きいほどマグネット３１７とマグネット吸着部材３２０（吸着部３２０ｂ）と間に作用する磁気吸引力は大きくなる。
【００３７】
上記実施形態では、図７及び図８に示すように、マグネットホルダー３１０を左右方向にスライドさせることでこの領域Ｒの面積を容易に調整することができる。したがって、各マグネット３１７と各マグネット吸着部材３２０との間に作用する磁気吸引力を容易に調整することができる。よって、例えば左右のマグネット３１７の磁気吸引力が等しくなるようにマグネットホルダー３１０の位置を調整することで、開閉カバー３０５が片閉まりするのを回避することができる。また、左右のマグネット３１７の磁気吸引力の合計が過度に大きくならないように調整することで、開閉カバー３０５を開ける際に開閉カバー３０５が一気に開いて周辺部材とぶつかるのを防止することができる。
【００３８】
また上記実施形態では、マグネットホルダー３１０は、左右方向に延びる長孔状のガイド穴３１１ａを有し、ホルダー取付け面３０５ａには、ガイド穴３１１ａに内挿されてマグネットホルダー３１０を左右方向にスライド可能にガイドする円筒ガイド部３０５ｂが突設されている。
【００３９】
これにより、マグネットホルダー３１０の位置調整を行う際に、マグネットホルダー３１０をそのガイド穴３１１ａに内挿された円筒ガイド部３０５ｂによって左右方向にガイドしながら移動させることができる。よって、マグネットホルダー３１０の位置調整を容易に行うことができる。延いては、マグネット３１７とマグネット吸着部材３２０との間に作用する磁気吸引力の調整を容易に行うことができる。
【００４０】
また、上記実施形態では、開閉カバー３０５の下面には、中継搬送路Ｔ４を形成する搬送ローラー対３０４の従動側ローラー３０４ｂが取付けられている。この従動側ローラー３０４ｂは、開閉カバー３０５を閉じた状態において駆動側ローラー３０４ａに対して押圧されている。開閉カバー３０５の磁気吸引力の合計は搬送ローラー対３０４の押圧力よりも大きくする必要がある。このため、ユーザーは、開閉カバー３０５の自重のみでなくこの磁気吸引力に抗して開閉カバー３０５を開ける必要がある。磁気吸引力を搬送ローラー対３０４の押圧力よりも過度に大きくすると、開閉カバー３０５を一気に開いてしまい周辺部材にぶつける虞がある。これに対して上記実施形態では、マグネットホルダー３１０をスライドさせることで、マグネット３１７とマグネット吸着部材３２０との間に作用する磁気吸引力を開閉カバー３０５の自重と搬送ローラー対３０４の押圧力とに合わせて調整することができる。よって、開閉カバー３０５を開く際に必要な力を必要最小限に容易に調整することができる。よって、上述の問題を回避することができる。
【００４１】
《実施形態》
上記実施形態では、開閉カバー３０５にマグネット３１７を固定し、装置本体部３０３にマグネット吸着部材３２０を固定するようにしているが、これに限ったものではなく、開閉カバー３０５にマグネット吸着部材３２０を固定し、装置本体部３０３にマグネット３１７を固定するようにしてもよい。
【００４２】
上記実施形態では、開閉カバー付き装置の一例として中継搬送装置３００を挙げて説明したが、これに限ったものではなく、マグネットの吸着力を利用し開閉カバー３０５を有する装置であれば如何なる装置であってもよい。
【産業上の利用可能性】
【００４３】
以上説明したように、本発明は、マグネットとマグネット吸着部材との間に作用する磁気吸引力により開閉カバーを閉状態に保持する開閉カバー付き装置に有用である。
【符号の説明】
【００４４】
Ｘ            軸線
３００        中継搬送装置（開閉カバー付き装置）
３０３        装置本体部（他方の部材）
３０４ｂ      従動側ローラー
３０５        開閉カバー（一方の部材）
３０５ａ      ホルダー取付け面
３０５ｂ      円筒ガイド部
３１０        マグネットホルダー
３１１ａ      ガイド穴      
３１７        マグネット
３２０        マグネット吸着部材
３２０ｂ      吸着部
【図１】
2016136679.tif 000003
【図２】
2016136679.tif 000004
【図３】
2016136679.tif 000005
【図４】
2016136679.tif 000006
【図５】
2016136679.tif 000007
【図６】
2016136679.tif 000008
【図７】
2016136679.tif 000009
【図８】
2016136679.tif 000010